(57)【要約】  行動誘引システム（２００）は、対象者及び非対象者の生体情報を取得する取得部（１０）と、対象者の行動を誘引するための提示を行う第一機器（１１１）及び第一機器（１１１）に提示を指示するために非対象者が操作する第二機器（１１２）と通信する通信部（５０）と、取得された対象者及び非対象者の生体情報に基づいて、第一機器（１１１）及び第二機器（１１２）の少なくとも一方を、通信部（５０）を介して制御する制御部（４０）と、を備え、制御部（４０）は、取得された生体情報に基づいて対象者及び非対象者の心的状態を評価する評価部（２０）と、評価部（２０）の評価結果に基づいて第一機器（１１１）及び第二機器（１１２）の少なくとも一方の制御内容を決定する決定部（３０）と、を備え、通信部（５０）は、制御内容を第一機器（１１１）及び第二機器（１１２）の少なくとも一方に出力する。
2019225248.tif 000002
【特許請求の範囲】
【請求項１】
対象者の行動を誘引する行動誘引システムであって、
対象者の生体情報、及び、非対象者の生体情報を取得する取得部と、
前記対象者の行動を誘引するための提示を行う第一機器、及び、前記第一機器に前記提示を指示するために前記非対象者が操作する第二機器と通信する通信部と、
取得された前記対象者の前記生体情報、及び、取得された前記非対象者の前記生体情報に基づいて、前記第一機器、及び、前記第二機器の少なくとも一方を、前記通信部を介して制御する制御部と、
を備え、
前記制御部は、
取得された前記生体情報に基づいて、前記対象者及び前記非対象者の心的状態を評価する評価部と、
前記評価部の評価結果に基づいて、前記第一機器、及び、前記第二機器の少なくとも一方の制御内容を決定する決定部と、
を備え、
前記通信部は、前記制御内容を前記第一機器及び前記第二機器の少なくとも一方に出力する、
行動誘引システム。
【請求項２】
前記評価部は、
前記生体情報に基づいて、前記心的状態を示すストレス指標の時間変化を算出し、所定の時間、又は、所定の回数、前記ストレス指標の値が閾値よりも高い場合、前記心的状態がストレス状態であると評価する、
請求項１に記載の行動誘引システム。
【請求項３】
前記決定部は、
前記評価部において、少なくとも前記非対象者がストレス状態であると評価された場合、前記第一機器及び前記第二機器の少なくとも一方の前記制御内容を変更する、
請求項２に記載の行動誘引システム。
【請求項４】
さらに、前記評価部は、前記対象者が所定の目標行動を実行したか否かを評価し、
前記決定部は、
前記評価部において、前記対象者が前記目標行動を実行していないと評価され、かつ、前記非対象者がストレス状態であると評価された場合、少なくとも前記第一機器の前記制御内容を、前記対象者の前記目標行動を実行する意欲を高めるための提示を行う制御に変更する、
請求項２又は３に記載の行動誘引システム。
【請求項５】
前記決定部は、
前記評価部において、前記対象者がストレス状態であると評価された場合、少なくとも前記第一機器の前記制御内容を、前記対象者の行動誘引を中止するための提示を行う制御に変更する、
請求項２又は３に記載の行動誘引システム。
【請求項６】
前記決定部は、
前記第一機器の前記制御内容を、前記対象者の行動誘引を中止するための提示を行う制御に変更した場合、前記第二機器の前記制御内容を、前記非対象者に前記行動誘引の停止を通知する制御に変更する、
請求項５に記載の行動誘引システム。
【請求項７】
対象者の行動を誘引する行動誘引方法であって、
対象者の生体情報、及び、非対象者の生体情報を取得する取得ステップと、
取得された前記対象者の前記生体情報、及び、取得された前記非対象者の前記生体情報に基づいて、前記対象者の行動を誘引するための提示を行う第一機器、及び、前記第一機器に前記提示を指示するために前記非対象者が操作する第二機器の少なくとも一方を制御する制御ステップと、
を含み、
前記制御ステップは、
取得された前記生体情報に基づいて、前記対象者及び前記非対象者の心的状態を評価する評価ステップと、
前記評価ステップの評価結果に基づいて、前記第一機器、及び、前記第二機器の少なくとも一方の制御内容を決定する決定ステップと、
前記制御内容を前記第一機器及び前記第二機器の少なくとも一方に出力する出力ステップと、
を含む、
行動誘引方法。
【請求項８】
請求項７に記載の行動誘引方法をコンピュータに実行させるためのプログラム。
【発明の詳細な説明】
【技術分野】
【０００１】
本開示は、人の行動を誘引する行動誘引システム、行動誘引方法及びプログラムに関する。
【背景技術】
【０００２】
近年、女性の社会進出に伴い、子供のいる共働き家族が増加している。また、核家族化に伴い、家事及び育児を主に女性が行っている場合が多く、女性に大きな負担がかかっている。このような状況において、女性の子育てに対する負担を減らすことが求められている。【０００３】
例えば、特許文献１は、監視領域内に存在する危険因子を認識する手段を設け、乳幼児が危険因子に接近するとそれを検出して、乳幼児の保護者が危険因子から乳幼児を遠ざける行動を取れるように支援情報を提供する事故予防システムを開示している。【０００４】
特許文献１に記載の従来技術によれば、乳幼児が危険因子に接近した場合に、母親に支援情報を提供して、母親が乳幼児を危険因子から遠ざける、又は、乳幼児が危険因子を認識するように母親が乳幼児に「しつけ」をする支援をすることができる。
【先行技術文献】
【特許文献】
【０００５】
【特許文献１】特開２００４−０７８３０４号公報
【発明の概要】
【発明が解決しようとする課題】
【０００６】
しかしながら、特許文献１に記載の従来技術では、母親が乳幼児のしつけのために自分の時間を割く必要がある。特に、共働き家庭における母親の育児及び家事の負担は大きく、ストレスを感じやすい。【０００７】
そこで、本開示は、非対象者のストレスを低減し、かつ、対象者が自主的に行動することができるように導くことができる行動誘引システム、行動誘引方法及びプログラムを提供する。
【課題を解決するための手段】
【０００８】
本開示の一態様に係る行動誘引システムは、対象者の行動を誘引する行動誘引システムであって、対象者の生体情報、及び、非対象者の生体情報を取得する取得部と、前記対象者の行動を誘引するための提示を行う第一機器、及び、前記第一機器に前記提示を指示するために前記非対象者が操作する第二機器と通信する通信部と、取得された前記対象者の前記生体情報、及び、取得された前記非対象者の前記生体情報に基づいて、前記第一機器、及び、前記第二機器の少なくとも一方を、前記通信部を介して制御する制御部と、を備え、前記制御部は、取得された前記生体情報に基づいて、前記対象者及び前記非対象者の心的状態を評価する評価部と、前記評価部の評価結果に基づいて、前記第一機器、及び、前記第二機器の少なくとも一方の制御内容を決定する決定部と、を備え、前記通信部は、前記制御内容を前記第一機器及び前記第二機器の少なくとも一方に出力する。【０００９】
また、本開示の一態様に係る行動誘引方法は、対象者の行動を誘引する行動誘引方法であって、対象者の生体情報、及び、非対象者の生体情報を取得する取得ステップと、取得された前記対象者の前記生体情報、及び、取得された前記非対象者の前記生体情報に基づいて、前記対象者の行動を誘引するための提示を行う第一機器、及び、前記第一機器に前記提示を指示するために前記非対象者が操作する第二機器の少なくとも一方を制御する制御ステップと、を含み、前記制御ステップは、取得された前記生体情報に基づいて、前記対象者及び前記非対象者の心的状態を評価する評価ステップと、前記評価ステップの評価結果に基づいて、前記第一機器、及び、前記第二機器の少なくとも一方の制御内容を決定する決定ステップと、前記制御内容を前記第一機器及び前記第二機器の少なくとも一方に出力する出力ステップと、を含む。【００１０】
また、本開示の一態様に係るプログラムは、前記の行動誘引方法をコンピュータに実行させる。
【発明の効果】
【００１１】
本開示によれば、非対象者のストレスを低減し、かつ、対象者が自主的に行動することができるように導くことができる行動誘引システム、行動誘引方法及びプログラムが提供される。
【図面の簡単な説明】
【００１２】
【図１】図１は、実施の形態に係る行動誘引システムの概要を説明する図である。
【図２】図２は、実施の形態に係る行動誘引システムの構成を示す機能ブロック図である。
【図３】図３は、実施の形態におけるストレス状態の評価方法及び評価結果に基づく制御内容を説明する図である。
【図４】図４は、ストレス状態の評価結果及び制御内容の対応関係を示す図である。
【図５】図５は、実施の形態に係る行動誘引方法の一例を示すフローチャートである。
【発明を実施するための形態】
【００１３】
以下、本開示の実施の形態について、図面を参照しながら具体的に説明する。
【００１４】
なお、以下で説明する実施の形態は、いずれも包括的又は具体的な例を示すものである。以下の実施の形態で示される数値、形状、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。また、各図は、必ずしも厳密に図示したものではない。各図において、実質的に同一の構成については同一の符号を付し、重複する説明は省略又は簡略化することがある。
【００１５】
（実施の形態）
以下、本実施の形態に係る行動誘引システム、行動誘引方法及びプログラムについて説明する。本開示では、対象者は、行動を誘引される対象の人であり、非対象者は、対象者に行動を誘引させる人である。例えば、対象者が幼児を含む子供である場合、非対象者は、保護者又は教師であり、対象者が老人である場合、非対象者は介護者である。
【００１６】
［行動誘引システムの概要］
図１は、本実施の形態に係る行動誘引システム２００の概要を説明する図である。
【００１７】
本実施の形態に係る行動誘引システム２００は、対象者の行動を誘引するシステムであって、対象者及び非対象者の生体情報から心的状態を評価し、当該評価結果に基づいて、第一機器１１１及び第二機器１１２の少なくとも一方を制御する。なお、心的状態とは、ストレス状態をいう。これにより、行動誘引システム２００は、非対象者のストレスを低減し、かつ、対象者が自主的に行動を行うことができるように導くことができる。
【００１８】
行動誘引システム２００は、第一センサ１０１と、第二センサ１０２と、行動誘引装置１００と、第一機器１１１と、第二機器１１２と、を備える。
【００１９】
第一センサ１０１及び第二センサ１０２は、それぞれ、対象者及び非対象者の生体情報を測定するセンサである。生体情報は、例えば、心拍、脈拍、呼吸数、血中酸素飽和度、血圧、体温、及び、発汗などのストレスにより影響を受ける生理学的な情報である。これらの生体情報のうち、測定の容易性から、生体情報は、例えば、心拍情報であってもよい。心拍情報とは、心拍から得られる情報であり、例えば、心電図である。ここでは、第一センサ１０１及び第二センサ１０２は、心拍センサである例を示す。
【００２０】
第一機器１１１は、対象者の行動を誘引するための提示を行う機器であり、ここでは、タブレット端末である例を示す。
【００２１】
第二機器１１２は、第一機器に上記提示を指示するために非対象者が操作する機器であり、ここでは、スマートフォンである例を示す。
【００２２】
なお、対象者とは、行動を誘引される人又は動物であり、ここでは、幼児である例を示す。非対象者とは、対象者に行動を誘引させる人であり、ここでは、幼児の母親である例を示す。また、行動とは、行動誘引システム２００により誘引される対象行動をいい、例えば、片付け、翌日の持ち物の準備、食卓の準備、着替え、歯磨き、又は、就寝準備などである。ここでは、幼児に歯磨きを誘引する例を示す。
【００２３】
対象者の行動を誘引するための提示とは、対象者に所定の目標行動を実行させるために音声による提示であってもよく、画像による提示であってもよい。
【００２４】
非対象者は、上記提示を指示するために、第二機器１１２を操作して、誘引情報を入力し、行動誘引装置１００に送信する。誘引情報とは、誘引に関する条件であり、ここでは、対象者の行動を誘引させるタイミング情報と、誘引方法を示す行動誘引プログラム情報とを含む。タイミング情報は、例えば、所定の行動誘引プログラムに基づいて、行動誘引装置１００が第一機器１１１及び第二機器１１２の少なくとも一方の制御を開始するタイミングである。行動誘引プログラム情報は、対象者及び非対象者の心的状態の変化に応じて、第一機器１１１及び第二機器１１２の少なくとも一方を制御するプログラム情報である。
【００２５】
以下、図１を用いて、本実施の形態に係る行動誘引システム２００の概要を説明する。行動誘引システム２００は、例えば、幼児の行動を誘引するシステムである。例えば、幼児がテレビ番組を見終わったタイミングで、行動誘引装置１００が第一機器１１１を制御して、第一機器１１１に幼児の行動を誘引するための提示を実行させることにより、幼児が今から歯磨きをする時間であると気づき、自主的に歯磨きを行うことができるように導くシステムである。なお、図１に示す具体例は、あくまでも一例であり、本開示の行動誘引システム２００はこれに限られない。
【００２６】
行動誘引装置１００は、第一センサ１０１、第二センサ１０２、第一機器１１１、及び、第二機器１１２に接続されている。行動誘引装置１００は、単独で配置されてもよく、照明器具などの天井又は壁に配置される器具に組み込まれてもよい。なお、行動誘引装置１００は、ネットワークを介してアクセスできるサーバ上に配置されてもよい。
【００２７】
母親は、予め、第二機器１１２を用いて、誘引情報を入力し、所定のタイミング及びプログラムで行動誘引装置１００を動作させる設定を行うことができる。なお、所定のタイミング及びプログラムについては、「行動誘引システムの構成」の項にて後述する。
【００２８】
［行動誘引システムの構成］
以下、本実施の形態に係る行動誘引システム２００の構成について説明する。図２は、本実施の形態に係る行動誘引システム２００の構成を示す機能ブロック図である。
【００２９】
図２に示すように、行動誘引システム２００は、第一センサ１０１と、第二センサ１０２と、行動誘引装置１００と、第一機器１１１と、第二機器１１２と、を備える。行動誘引装置１００は、取得部１０と、制御部４０と、通信部５０と、を備える。制御部４０は、評価部２０と、決定部３０とを含む。
【００３０】
第一センサ１０１及び第二センサ１０２は、生体情報を測定するセンサである。第一センサ１０１は、対象者の生体情報を測定するセンサであり、第二センサ１０２は、非対象者の生体情報を測定するセンサである。上述したように、生体情報は、例えば、心拍、脈拍、呼吸数、血中酸素飽和度、血圧、体温、及び発汗などのストレスにより影響を受ける生理学的な情報である。本実施の形態では、生体情報が心拍情報である例を説明するが、これに限定されない。生体情報は、例えば、脈拍から得られる情報（つまり、脈拍情報）であってもよい。
【００３１】
生体情報が心拍情報である場合、第一センサ１０１及び第二センサ１０２は、例えば、被測定者の体の表面に接触する一対の電極を備えるセンサ（以下、心拍センサともいう）である。心拍センサにより得られる心拍情報は、心臓の拍動により得られる電気信号であり、例えば、心電図である。心拍センサは、導電性粘着ゲル電極であってもよく、導電性繊維などで構成されるドライ電極であってもよい。心拍センサの装着部位は、胸部であり、心拍センサの形状は、例えば、ウエアと電極とが一体となったウエア型である。ウエアは、例えば、肌着又は下着である。
【００３２】
また、生体情報が脈拍情報である場合、第一センサ１０１及び第二センサ１０２は、例えば、フォトトランジスタ及びフォトダイオードにより血管中の血液量の変化を反射光又は透過光により測定するセンサ（以下、脈拍センサともいう）である。脈拍センサの装着部位は、手首、足首、指、又は、上腕であり、脈拍センサの形状は、例えば、バンド型（例えば、腕時計型など）、頸部などに貼り付ける貼付型、又は、眼鏡型などである。また、脈拍センサは、顔又は手などの皮膚の色度の変化から、脈拍情報を測定して脈拍を算出する画像センサであってもよい。
【００３３】
また、生体情報が呼吸数である場合、第一センサ１０１及び第二センサ１０２は、例えば、胸部又は腹部に巻き付ける圧力センサを備えるベルト型のセンサ、又は、鼻の下に取り付ける温度センサである。
【００３４】
また、生体情報が血中酸素飽和度である場合、生体センサは、例えば、フォトトランジスタ及び２種類のフォトダイオードにより血管中の血液に含まれる飽和酸素濃度の変化を反射光又は透過光により測定するセンサである。
【００３５】
また、生体情報が血圧である場合、生体センサは、例えば、圧力センサが付いたベルトを上腕部と、指先又は橈骨と、に巻き付けて使用するセンサである。
【００３６】
また、生体情報が体温である場合、生体センサは、例えば、掌又は鼻の頭などストレスにより毛細血管の収縮が起こりやすい部位に貼り付ける熱電対のセンサである。
【００３７】
また、生体情報が発汗である場合、生体センサは、例えば、掌又は顔などストレスにより発汗が起こりやすい部位に接触する一対の検出電極を備えるセンサである。
【００３８】
さらに、第一センサ１０１及び第二センサ１０２は、上記のいずれかのセンサに加えて、幼児及び母親の動きを検出する加速度センサを備えてもよい。例えば、第一センサ１０１が心拍センサ及び加速度センサを備えることにより、幼児が心拍情報に変化が生じる程度の動作を行った場合、その動作を行った期間を心的状態の評価対象から除外することができる。これにより、行動誘引装置１００は、幼児の動作による生体情報の変動と心的要因による変動とを区別することができる。そのため、行動誘引装置１００は、幼児及び母親の心的状態をより正確に評価できるため、第一機器１１１及び第二機器１１２をより適切に制御することができる。言い換えると、行動誘引装置１００は、幼児及び母親のストレス状態をより正確に把握できるため、幼児の行動をより適切に導くことができ、母親のストレス状態を低減することができる。
【００３９】
以上のように、第一センサ１０１及び第二センサ１０２は、それぞれ、幼児及び母親の生体情報を測定し、行動誘引装置１００に送信する。
【００４０】
行動誘引装置１００は、第一センサ１０１及び第二センサ１０２から送信された幼児及び母親の生体情報を取得し、取得された心拍情報から幼児及び母親の心的状態を評価する。行動誘引装置１００は、心的状態の評価結果に基づき、第一機器１１１及び第二機器１１２の少なくとも一方を制御する。
【００４１】
行動誘引装置１００は、取得部１０と、制御部４０と、通信部５０とを備える。制御部４０は、評価部２０と、決定部３０とを含む。行動誘引装置１００は、天井又は壁に設置されてもよく、天井又は壁に設置される器具などに組み込まれていてもよい。天井又は壁に設置される器具は、例えば、照明器具、又は、行動検知器（例えば、カメラ）に組み込まれていてもよい。なお、上述したように、行動誘引装置１００は、インターネットを介して接続されるサーバ上に配置されてもよい。
【００４２】
取得部１０は、第一センサ１０１及び第二センサ１０２から送信された幼児及び母親の心拍情報を取得し、取得した生体情報を評価部２０に送信する。取得部１０は、例えば、Ｂｌｕｅｔｏｏｔｈ（登録商標）、ＩｒＤＡ、又はＷｉ−Ｆｉ（登録商標）などの無線通信インタフェースである。
【００４３】
制御部４０は、通信部５０により取得された誘引情報に基づいて、行動誘引装置１００を制御する。制御部４０は、ＣＰＵ（Ｃｅｎｔｒａｌ  Ｐｒｏｃｅｓｓｉｎｇ  Ｕｎｉｔ）、プログラムを格納するＲＯＭ（Ｒｅａｄ  Ｏｎｌｙ  Ｍｅｍｏｒｙ）、ＲＡＭ（Ｒｅａｄ  Ａｃｃｅｓｓ  Ｍｅｍｏｒｙ）を含み、評価部２０及び決定部３０を備える。なお、評価部２０及び決定部３０は、ＣＰＵがプログラムを実行することにより実現される。
【００４４】
制御部４０は、幼児及び母親の生体情報に基づいて、第一機器１１１及び第二機器１１２の少なくとも一方を制御する。具体的には、制御部４０では、評価部２０は、取得部１０から送信された幼児及び母親の心拍情報を取得し、取得された心拍情報から、幼児及び母親の心的状態を評価し、評価結果を決定部３０に送信する。心拍情報は、例えば、心電図である。評価部２０は、幼児及び母親の心電図から心拍数及び心拍揺らぎなどの指標を算出する。心拍数は、心電図の連続する２つのＲ波の間隔である心拍間隔（ＲＲＩ：Ｒ−Ｒ  ｉｎｔｅｒｖａｌｓ）の逆数に６０を乗じて算出される。心拍揺らぎは、例えば、心拍変動の変動係数（ＣｖＲＲ：Ｃｏｅｆｆｉｃｉｅｎｔ  ｏｆ  Ｖａｒｉａｔｉｏｎ  ｏｆ  Ｒ−Ｒ  ｉｎｔｅｒｖａｌｓ）、及び、心拍変動の周波数成分などである。心拍変動の周波数成分は、例えば、０．１４Ｈｚ〜０．４Ｈｚの高周波数領域のパワースペクトルの積分値であるＨＦ（Ｈｉｇｈ  Ｆｒｅｑｕｅｎｃｙ）及び０．０４Ｈｚ〜０．１４Ｈｚの低周波数領域のパワースペクトルの積分値であるＬＦ（Ｌｏｗ  Ｆｒｅｑｕｅｎｃｙ）である。これらの心拍変動の周波数成分は、ＲＲＩを高速フーリエ変換を用いて周波数解析することにより求められる。
【００４５】
評価部２０は、上記の指標のうち１つ又は複数の指標を用いて、幼児及び母親のストレス状態を評価する。以下、ストレス状態の評価方法及び評価結果に基づく制御内容について説明する。
【００４６】
図３は、本実施の形態におけるストレス状態の評価方法及び評価結果に基づく制御内容を説明する図である。
【００４７】
評価部２０は、例えば、上記の指標のうち１つ又は複数の指標を用いて、幼児及び母親のストレス指標を算出する。ストレス指標は、評価に用いられる指標の変化率に応じて算出されてもよく、指標の値をそのまま使用してもよい。
【００４８】
本実施の形態に係る行動誘引システム２００では、評価部２０は、心拍情報に基づいて、心的状態を示すストレス指標の時間変化を算出し、所定の時間、又は、所定の回数、ストレス指標の値が閾値よりも高い場合、心的状態がストレス状態であると評価する。例えば、図３に示すように、所定の時間ｔ１、母親のストレス指標の値が閾値よりも高い場合、評価部２０は、母親の心的状態がストレス状態であると評価する。また、所定の時間ｔ２、幼児のストレス指標の値が閾値よりも高い場合、評価部２０は、幼児の心的状態がストレス状態であると評価する。また、所定の回数（例えば、ｎ１回）、母親のストレス指標の値が閾値よりも高い場合、評価部２０は、母親の心的状態がストレス状態であると評価する。これにより、例えば、動作による生体情報の変化などのストレスに由来しないストレス指数の上昇を心的状態の判定から排除することができるため、ストレス状態を正確に評価することができる。
【００４９】
なお、閾値は、予め設定された値であってもよく、閾値を設定するための試験によって算出された値であってもよい。また、閾値は、幼児と母親とで同じ値であってもよく、異なる値であってもよい。
【００５０】
決定部３０は、評価部２０の評価結果に基づいて、第一機器１１１、及び、第二機器１１２の少なくとも一方の制御内容を決定する。以下、具体例を挙げて、決定部３０の動作について説明する。図４は、ストレス状態の評価結果及び制御内容の対応関係を示す図である。
【００５１】
図４の「行動誘引」に示すように、決定部３０は、評価部２０において、幼児も母親もストレス状態ではないと評価された場合、母親が予め入力した誘引情報に基づいて第一機器１１１を制御する。このとき、第一機器１１１は、幼児に所定の目標行動を実行する時間であることを気づかせるための提示を行う。当該提示は、例えば、目標行動毎に異なる音楽を流すこと、又は、キャラクターが「お片付けの時間だよ！」などの声掛けをして目標行動を実行する（例えば、片付けする）動画を表示すること、などが挙げられる。そして、第一機器１１１は、幼児に所定の目標行動を実行させるための提示を行う。当該提示は、例えば、目標行動毎に異なる音楽を流すこと、又は、キャラクターが歌を歌いながら目標行動を実行する動画を表示すること、などが挙げられる。
【００５２】
また、図４の（Ａ）に示すように、決定部３０は、評価部２０において、少なくとも母親がストレス状態であると評価された場合、第一機器１１１及び第二機器１１２の少なくとも一方の制御内容を変更する。例えば、第一機器１１１の制御内容を変更する場合、音楽の再生スピードを上げること、又は、キャラクターが「どちらが早いかな！」と声掛けして、幼児と目標行動の実行スピードを競争する動画を表示すること、などが挙げられる。また、例えば、第二機器１１２の制御内容を変更する場合、母親のストレスを低減させるための提示を実行する。このとき、第二機器１１２は、幼児が目標行動を実行している画像を提示して、「幼児なりに頑張っているので、もう少しだけ見守ってあげましょう」とアドバイスすること、又は、幼児の目標行動の達成状態を表示して、達成状態に応じた第一機器１１１の制御内容の変更を提案すること、などが挙げられる。これにより、母親は、気持ちを切り替えるきっかけを得ることができるため、自身のストレスを低減することができる。
【００５３】
ここで、評価部２０は、対象者及び非対象者の心的状態の評価に加え、さらに、対象者が所定の目標行動を実行したか否かを評価してもよい。なお、所定の目標行動を実行したか否かの評価には、対象者が所定の目標行動をどの程度達成できているかを評価することも含まれる。
【００５４】
また、決定部３０は、評価部２０において、幼児が目標行動を実行していないと評価され、かつ、母親がストレス状態であると評価された場合（図４の（Ａ））、少なくとも第一機器１１１の制御内容を、幼児の目標行動を実行する意欲を高めるための提示を行う制御に変更する。幼児の目標行動を実行する意欲を高めるための提示は、音声及び画像の少なくとも一方で行われてもよい。当該提示が音声及び画像の両方で行われる場合、当該提示は、例えば、幼児が好きな音楽を流すこと、キャラクターが目標行動を実行する動画を表示すること、又は、キャラクターが幼児に対して「一緒にやろうよ！」、「上手！」、「すごいね！」などの声掛けをして楽しく目標行動を実行する動画を表示すること、などが挙げられる。これにより、母親は、気持ちを切り替えるきっかけを得ることができるため、自身のストレスを緩和しやすくなる。そのため、例えば、母親が幼児の行動誘引に対して何らかのサポートを行う場面でも、母親は比較的落ち着いて幼児に対応することができる。また、幼児は、目標行動を実行する意欲を高めるための提示により、目標行動を実行しやすくなる。このとき、例えば、母親が落ち着いてサポートすると、幼児は、より意欲的に目標行動を実行することができる。
【００５５】
また、図４の（Ｂ）及び（Ｃ）に示すように、決定部３０は、評価部２０において、幼児がストレス状態であると評価された場合、又は、幼児及び母親が共にストレス状態であると評価された場合、少なくとも第一機器１１１の制御内容を、幼児の行動誘引を中止するための提示を行う制御に変更する。幼児の行動誘引を中止するための提示は、幼児が例えば、音楽を終了させること、又は、キャラクターが「おしまい！」と言って手を振ってお家に帰る動画を表示すること、などが挙げられる。これにより、幼児及び母親が個別にタイムアウトすることができる。これにより、母親がストレス状態である場合は、母親が強引に幼児の行動誘引を続けることを回避できるため、幼児及び母親が行動誘引に対してネガティブなイメージを抱くことを低減することができる。また、幼児がストレス状態である場合は、行動を誘引しようとしても上手くいかないことが多く、一端、行動誘引を中止することにより、幼児の心的状態を落ち着かせることができる。これにより、次の行動を開始する場合に、幼児は、気持ちを切り替えて取り組むことができるため、効果的に幼児の行動を誘引することができる。
【００５６】
決定部３０は、第一機器１１１の制御内容を、幼児の行動誘引を中止するための提示を行う制御に変更した場合、第二機器１１２の制御内容を、母親に行動誘引の停止を通知する制御に変更する。当該通知は、画像のみで行われてもよく、画像及び音声で行われてもよい。これにより、母親は、幼児の行動誘引が停止されたことを知ることができるため、次の行動誘引に向けて気持ちを切り替えることができる。また、幼児及び母親が個別にタイムアウトすることができるため、双方とも次の行動に向けて気持ちを切り替えやすくなる。
【００５７】
第一機器１１１は、幼児の行動を誘引するための提示を行う。ここで、幼児の行動を誘引するための提示は、幼児に目標行動を実行する時間であることを気づかせるための提示だけではなく、幼児の目標行動を実行する意欲を高めるための提示、及び、幼児の行動誘引を中止するための提示を含む。提示は、音声による提示であってもよく、画像による提示であってもよく、音声及び画像による提示であってもよい。
【００５８】
第二機器１１２は、第一機器１１１に提示を指示するために母親が操作する。例えば、第二機器１１２は、誘引情報を行動誘引装置１００に送信する。また、第二機器１１２は、幼児の目標行動の達成状態に応じた第一機器１１１の制御内容の変更を行動誘引装置１００に送信してもよい。
【００５９】
第一機器１１１及び第二機器１１２は、例えば、スマートフォン、タブレット端末、ウエアラブル端末、スマートスピーカー及びパーソナルコンピュータなどである。第一機器１１１及び第二機器１１２は、提示部（不図示）、入力部（不図示）及び通信部（不図示）を備える。提示部は、例えば、音声による提示を行う場合は、スピーカーであり、画像による提示を行う場合は、液晶ディスプレイ又は有機ＥＬ（Ｅｌｅｃｔｒｏ  Ｌｕｍｉｎｅｓｃｅｎｃｅ）ディスプレイなどである。入力部は、例えば、タッチパネル、キーボード、マウス又はマイクなどである。第一機器１１１及び第二機器１１２は、通信部５０を介して行動誘引装置１００と接続される。通信部５０は、Ｂｌｕｅｔｏｏｔｈ（登録商標）、ＩｒＤＡ、又はＷｉ−Ｆｉ（登録商標）などの無線通信インタフェースである。
【００６０】
なお、行動誘引システム２００は、行動検知器（不図示）を備えてもよい。行動検知器は、人の行動を検知し、行動を示す行動情報を行動誘引装置１００に送信する。人の行動を検知するとは、人の動きそのものを検知してもよく、人の動きにより移動する物の動きを検知してもよい。すなわち、行動情報とは、人の動きを示す情報であってもよく、人の動きにより移動する物の動きを示す情報であってもよい。
【００６１】
行動検知器は、例えば、カメラ又はセンサである。行動検知器がカメラの場合、行動検知器は、幼児がおもちゃ又は絵本などを片付ける動きを検知してもよく、おもちゃ又は絵本などにタグを付けて、幼児が片付けるおもちゃ又は絵本などの移動を検知してもよい。行動検知器がセンサの場合、行動検知器は、例えばおもちゃ箱などの収納容器に組み込まれた重量センサで重量の変化を計測することにより、幼児が片付けるおもちゃ又は絵本などの移動を検知してもよい。また、例えば、行動検知器は、幼児が歯磨きをする動き、又は、洋服を着替える動きなどの動きを検知してもよい。
【００６２】
なお、行動検知器は、行動誘引装置１００と無線で接続されていてもよく、有線で接続されていてもよい。また、行動検知器は、単独で配置されてもよく、照明器具などの天井又は壁に配置される器具に組み込まれてもよい。
【００６３】
なお、第一機器１１１がカメラを備える場合は、第一機器１１１のカメラにより、幼児の動きを検知してもよい。
【００６４】
また、行動誘引装置１００は、行動検知器又は第一機器１１１のカメラが検知した幼児の動きの情報を第二機器１１２に送信してもよい。これにより、母親は、幼児の動きを第二機器１１２のモニターで確認することができるため、幼児の目標行動（例えば、片付け、歯磨きなど）の進捗状況を明確に把握することができる。そのため、母親は、幼児が目標行動を達成するまでの時間、及び、どのようなフォローが必要になるかなどの予測を立てやすくなる。したがって、母親のストレスを低減することができるため、母親が幼児に感情的に接することを低減することができる。
【００６５】
［行動誘引方法］
次に、本実施の形態に係る行動誘引方法について説明する。本実施の形態に係る行動誘引方法は、行動誘引装置１００の各構成の動作により実行される。図５は、本実施の形態に係る行動誘引方法の一例を示すフローチャートである。
【００６６】
本実施の形態に係る行動誘引方法では、まず、取得部１０は、第一センサ１０１及び第二センサ１０２から幼児の生体情報、及び、母親の生体情報を取得する（取得ステップＳ１０）。次いで、行動誘引装置１００では、制御部４０は、取得された幼児の生体情報、及び、取得された母親の生体情報に基づいて、第一機器１１１、及び、第二機器１１２の少なくとも一方を制御する（制御ステップＳ４０）。具体的には、制御ステップＳ４０では、評価部２０は、取得された生体情報に基づいて、幼児及び母親の心的状態を評価する（評価ステップＳ２０）。ここで、心的状態とは、ストレス状態を指す。次いで、制御ステップＳ４０では、決定部３０は、評価ステップＳ２０の評価結果に基づいて、第一機器１１１、及び、第二機器１１２の少なくとも一方の制御内容を決定する（決定ステップＳ３０）。
【００６７】
次いで、通信部５０は、制御内容を第一機器１１１及び第二機器１１２の少なくとも一方に出力する（出力ステップＳ５０）。
【００６８】
以下、制御ステップＳ４０の処理の詳細について、図４を再び参照して説明する。
【００６９】
図４に示すように、評価ステップＳ２０において、評価部２０が、幼児及び母親は共にストレス状態でないと評価した場合、決定ステップＳ３０において、決定部３０は、予め母親が入力した誘引情報に基づいて、第一機器１１１及び第二機器１１２の少なくとも一方の制御内容を決定する。
【００７０】
また、評価ステップＳ２０において、評価部２０が、幼児はストレス状態ではなく、母親はストレス状態であると評価した場合、決定ステップＳ３０において、決定部３０は、第一機器１１１及び第二機器１１２の少なくとも一方の制御内容を変更する。このとき、評価ステップＳ２０において、評価部２０は、さらに、幼児が所定の目標行動（例えば、片付けなど）を実行したか否かを評価する。そして、評価部２０が、幼児が所定の目標行動を実行していないと評価した場合、決定ステップＳ３０において、決定部３０は、少なくとも第一機器１１１の制御内容を、幼児の目標行動を実行する意欲を高めるための提示を行う制御に変更する。
【００７１】
また、評価ステップＳ２０において、評価部２０が、幼児がストレス状態であると評価した場合、又は、幼児も母親も共にストレス状態であると評価した場合、決定ステップＳ３０において、決定部３０は、第一機器１１１の制御内容を、行動誘引を中止する制御に変更する。このとき、決定部３０は、第二機器１１２の制御内容を、母親に行動誘引の停止を通知する制御に変更する。
【００７２】
なお、上記各提示については、決定部３０の動作例の説明で上述した通りであるため、ここでの説明を省略する。
【００７３】
なお、評価ステップＳ２０では、行動誘引プログラムを開始させて、所定の時間が経過した後、制御部４０は、通信部５０を介して、行動検知器（不図示）又は第一機器１１１のカメラから幼児の行動情報を取得してもよい。このとき、行動情報は、制御部４０が行動検知器又は第一機器１１１のカメラに行動情報を要求して取得されてもよく、制御部４０が行動検知器に行動情報の要求することなく取得されてもよい。評価部２０は、通信部５０により取得された行動情報に基づいて、幼児の目標行動の達成状況を評価する。決定部３０は、幼児の目標行動の達成状況に基づいて、第一機器１１１の制御内容を変更する。例えば、決定部３０は、音楽を流すことにより幼児の行動を誘引している場合は、音楽の再生スピードを調整して、幼児の意欲を高めてもよい。なお、音楽の少なくとも一部において繰り返し再生させることで時間を調整して、音楽が幼児の目標行動が達成される時間に終了するように調整してもよい。これにより、幼児は、音楽が再生されている間に行動を完了することができるため、達成感を得ることができる。
【００７４】
［行動誘引システムの動作例］
次に、本実施の形態に係る行動誘引システム２００の動作について説明する。
【００７５】
ここでは、対象者は、幼児であり、誘引される目標行動は、おもちゃなどの片付けである。また、第一機器１１１は、タブレット端末１１１であり、第二機器１１２は、幼児の母親のスマートフォン１１２であり、行動検知器は、カメラである。
【００７６】
図示しないが、行動誘引システム２００では、まず、母親は、予め、スマートフォン１１２を用いて、行動誘引を開始する時間などのタイミング情報と、タブレット端末１１１が幼児の行動を誘引するための提示を実行させるプログラム情報とを選択し、これらを誘引情報として行動誘引装置１００に送信する。例えば、母親は、タイミング情報として、「１９：００」を選択し、プログラム情報として、「１０分間、幼児が好む音楽を流す」など、幼児の行動を誘引する誘引情報を予め設定することができる。誘引情報の設定は、幼児の行動を誘引したいときにその都度行ってもよいし、曜日と時間を設定して定期的に繰り返されるようにしてもよい。
【００７７】
行動誘引装置１００は、スマートフォン１１２から誘引情報を取得すると、誘引情報に基づいて所定のタイミングで行動誘引を開始する。このとき、制御部４０は、評価部２０に幼児及び母親の心的状態の評価を実行させるコマンドを送信する。なお、このとき、制御部４０は、カメラに現在の状況を示す画像データを要求してもよい。これにより、行動誘引プログラムを開始した当初の室内の状況と、所定時間経過後の片付け達成状況とを、例えば、散らかり度合として比較することができるため、より正確に、行動達成に要する時間を予測することができる。
【００７８】
なお、第一センサ１０１及び第二センサ１０２は、行動誘引プログラムの実行に関わらず、幼児及び母親の生体情報（ここでは、心拍情報）を測定し、行動誘引装置１００の取得部１０に送信してもよい。また、評価部２０は、取得部１０を介して取得された幼児及び母親の生体情報から心的状態を評価して、所定の期間毎にストレス指標の閾値を更新してもよい。これにより、季節又は日々の体調の変化に応じてストレス状態を評価することができ、安定的に行動誘引を継続することができる。
【００７９】
行動誘引プログラムを実行した後、所定の時間が経過したときに、制御部４０は、カメラに片付けの進捗状況を示す画像データを要求する。カメラが制御部４０に、進捗状況を示す画像データを送信すると、評価部２０は、行動達成までの時間を算出する。なお、行動達成とは、誘引された行動が完了することをいい、ここでは、片付け完了のことである。このとき、評価部２０は、取得した画像データから進捗状況、つまり、片付け開始から所定時間が経過した後の散らかり度合を算出する。そして、この所定時間経過後の散らかり度合と、行動誘引プログラムを開始したときの室内の状況、つまり、片付け開始時の散らかり度合と、を比較して、片付け完了までの時間を算出する。ここで、散らかり度合は、例えば、以下のように算出される。おもちゃ及び絵本などにタグなどを付しておき、カメラで室内の様子を撮像する。撮像された画像から、室内に存在するタグの数を識別し、片付け開始時の室内のタグ数と、片付け開始から所定時間が経過した後の室内のタグ数とを算出する。そして、それらの差分を算出し、経過時間で除することにより、幼児の片付け速度を算出する。算出された片付け速度から、片付け完了までの時間を算出する。そして、片付け速度が変化する可能性を考慮し、算出された片付け完了までの時間に所定の時間を加えて、片付け完了までの時間を算出する。制御部４０は、スマートフォン１１２からの指示に応じて、片付け完了までの時間を、スマートフォン１１２に提示させてもよい。これにより、母親は片付け完了までの時間を把握することができるため、ストレスを低減することができる。
【００８０】
決定部３０は、幼児及び母親のストレスの状態により、行動誘引プログラムを変更する。例えば、評価部２０が幼児も母親も共にストレス状態でないと評価した場合、評価部２０は、算出された片付け完了までの時間と行動誘引プログラムで設定された時間（１０分間）との差分を算出する。決定部３０は、評価部２０で算出された差分の時間の長さにより、音楽の再生パターンを決定する。音楽の再生パターンは、音楽の再生速度を遅くするパターンであってもよく、音楽の一部、例えば、サビの部分を繰り返すパターンであってもよい。予め設定された時間（１０分間）を延長する調整を行ったことを、幼児に気づかれないように調整できればよく、差分の時間の長さにより、適宜、音楽の再生パターンを決定するとよい。
【００８１】
また、例えば、評価部２０が、母親がストレス状態であると評価した場合、決定部３０は、音楽の再生スピードを速める調整をする制御に変更する。幼児が音楽のスピードに合わせて行動できる速度に調整されるとよい。
【００８２】
また、例えば、評価部２０が、少なくとも幼児がストレス状態であると評価した場合、決定部３０は、行動誘引プログラムを中止する制御に変更する。つまり、音楽の再生を停止する。そして、母親に行動誘引プログラムを中止した旨を通知する。
【００８３】
行動誘引装置１００は、上記決定に基づくコマンドを第一機器１１１及びスマートフォン１１２に送信する。
【００８４】
以上の行動誘引方法により、母親はストレスを低減することができ、かつ、幼児は自主的に目標行動を実行することができるようになる。また、幼児及び母親が共にストレス状態と判定された場合に、行動誘引を中止することにより、両者が気持ちを落ち着かせて、目標行動が達成できなかったことを反省する気持ちの余裕を持つことができる。また、母親が幼児に対して感情的に接することを低減することができるため、幼児が目標行動を達成しようとする意欲を向上させることができる。したがって、幼児は、第一機器１１１に行動誘引のための提示が行われる（例えば、所定の音楽が再生されると）、片付けをする時間であることに気づき、自主的に片付けに取り組めるようになる。
【００８５】
以上のように、本実施の形態に係る行動誘引システム２００は、対象者の行動を誘引する行動誘引システムであって、対象者の生体情報、及び、非対象者の生体情報を取得する取得部１０と、対象者の行動を誘引するための提示を行う第一機器１１１、及び、第一機器１１１に提示を指示するために非対象者が操作する第二機器１１２と通信する通信部５０と、取得された対象者の生体情報、及び、取得された非対象者の生体情報に基づいて、第一機器１１１、及び、第二機器１１２の少なくとも一方を、通信部５０を介して制御する制御部４０と、を備え、制御部４０は、取得された生体情報に基づいて、対象者及び非対象者の心的状態を評価する評価部２０と、評価部２０の評価結果に基づいて、第一機器１１１、及び、第二機器１１２の少なくとも一方の制御内容を決定する決定部３０と、を備え、通信部５０は、制御内容を第一機器１１１及び第二機器１１２の少なくとも一方に出力する。
【００８６】
このように、対象者及び非対象者の生体情報から対象者及び非対象者の心的状態を評価することにより、対象者及び非対象者の心的状態に応じた行動誘引を行うことができる。これにより、対象者及び非対象者は、心的な負荷が低減される。特に、非対象者のストレスが低減されることにより、非対象者は、対象者に対して強引な行動誘引を行うことが少なくなる。そのため、対象者は、行動を誘引されることにネガティブなイメージを抱きにくくなり、自主的に行動することができるようになる。したがって、本開示の行動誘引システムによれば、行動誘引による非対象者及び対象者のストレスが低減される。これにより、対象者は、自主的に目標行動を実行することができるようになる。
【００８７】
また、本実施の形態に係る行動誘引システム２００では、評価部２０は、生体情報に基づいて、心的状態を示すストレス指標の時間変化を算出し、所定の時間、又は、所定の回数、ストレス指標の値が閾値よりも高い場合、心的状態がストレス状態であると評価してもよい。
【００８８】
これにより、例えば、動作による生体情報の変化などのストレスに由来しないストレス指数の上昇を心的状態の判定から排除することができるため、ストレス状態を正確に評価することができる。
【００８９】
また、本実施の形態に係る行動誘引システム２００では、決定部３０は、評価部２０において、少なくとも非対象者がストレス状態であると評価された場合、第一機器１１１及び第二機器１１２の少なくとも一方の制御内容を変更してもよい。
【００９０】
これにより、非対象者は、気持ちを切り替えるきっかけを得ることができるため、自身のストレスを低減することができる。
【００９１】
また、本実施の形態に係る行動誘引システム２００では、さらに、評価部２０は、対象者が所定の目標行動を実行したか否かを評価し、決定部３０は、評価部２０において、対象者が目標行動を実行していないと評価され、かつ、非対象者がストレス状態であると評価された場合、少なくとも第一機器１１１の制御内容を、対象者の目標行動を実行する意欲を高めるための提示を行う制御に変更してもよい。
【００９２】
これにより、非対象者は、気持ちを切り替えるきっかけを得ることができるため、自身のストレスを緩和しやすくなる。そのため、例えば、非対象者が対象者の行動誘引に対して何らかのサポートを行う場面でも、非対象者は比較的落ち着いて対象者に対応することができる。また、対象者は、目標行動を実行する意欲を高めるための提示により、目標行動を実行しやすくなる。このとき、例えば、非対象者が落ち着いてサポートすると、対象者は、より意欲的に目標行動を実行することができる。
【００９３】
また、本実施の形態に係る行動誘引システム２００では、決定部３０は、評価部２０において、対象者がストレス状態であると評価された場合、又は、対象者及び非対象者がともにストレス状態であると評価された場合、少なくとも第一機器１１１の制御内容を、対象者の行動誘引を中止するための提示を行う制御に変更してもよい。
【００９４】
これにより、対象者及び非対象者が個別にタイムアウトすることができる。これにより、非対象者がストレス状態である場合は、非対象者が強引に対象者の行動誘引を続けることを回避できるため、対象者及び非対象者が行動誘引に対してネガティブなイメージを抱くことを低減することができる。また、対象者がストレス状態である場合は、行動を誘引しようとしても上手くいかないことが多く、一端、行動誘引を中止することにより、対象者の心的状態を落ち着かせることができる。これにより、次の行動を開始する場合に、対象者は、気持ちを切り替えて取り組むことができるため、効果的に対象者の行動を誘引することができる。
【００９５】
また、本実施の形態に係る行動誘引システム２００では、決定部３０は、第一機器１１１の制御内容を、対象者の行動誘引を中止するための提示を行う制御に変更した場合、第二機器１１２の制御内容を、非対象者に行動誘引の停止を通知する制御に変更してもよい。
【００９６】
これにより、非対象者は、対象者の行動誘引が停止されたことを知ることができるため、次の行動誘引に向けて気持ちを切り替えることができる。また、対象者及び非対象者が個別にタイムアウトすることができるため、双方とも次の行動に向けて気持ちを切り替えやすくなる。
【００９７】
また、本実施の形態に係る行動誘引方法では、対象者の行動を誘引する行動誘引方法であって、対象者の生体情報、及び、非対象者の生体情報を取得する取得ステップと、取得された対象者の生体情報、及び、取得された非対象者の生体情報に基づいて、対象者の行動を誘引するための提示を行う第一機器１１１、及び、第一機器１１１に上記提示を指示するために非対象者が操作する第二機器１１２の少なくとも一方を制御する制御ステップと、を含み、制御ステップは、取得された生体情報に基づいて、対象者及び非対象者の心的状態を評価する評価ステップと、評価ステップの評価結果に基づいて、第一機器１１１、及び、第二機器１１２の少なくとも一方の制御内容を決定する決定ステップと、制御内容を第一機器１１１及び第二機器１１２の少なくとも一方に出力する出力ステップと、を含む。
【００９８】
このように、本開示の行動誘引方法は、対象者及び非対象者の生体情報から対象者及び非対象者の心的状態を評価するステップを有することにより、対象者及び非対象者の心的状態に応じた行動誘引を行うことができる。これにより、対象者及び非対象者は、心的な負荷が低減される。特に、非対象者のストレスが低減されることにより、非対象者は、対象者に対して強引な行動誘引を行うことが少なくなる。そのため、対象者は、行動を誘引されることにネガティブなイメージを抱きにくくなり、自主的に行動することができるようになる。したがって、本開示の行動誘引方法によれば、行動誘引による非対象者及び対象者のストレスが低減される。これにより、対象者は、自主的に目標行動を実行することができるようになる。
【００９９】
なお、これらの包括的又は具体的な態様は、システム、方法、集積回路、コンピュータプログラム又はコンピュータで読み取り可能なＣＤ−ＲＯＭなどの記録媒体で実現されてもよく、システム、方法、集積回路、コンピュータプログラム及び記録媒体の任意な組み合わせで実現されてもよい。
【０１００】
また、上記実施の形態において、制御部４０はソフトウェアプログラムにより実現されたが、専用のハードウェアにより実現されてもよい。
【０１０１】
以上、本開示に係る行動誘引システム、行動誘引方法及びプログラムについて、実施の形態に基づいて説明したが、本開示は、これらの実施の形態に限定されるものではない。本開示の主旨を逸脱しない限り、当業者が思いつく各種変形を実施の形態に施したものや、実施の形態における一部の構成要素を組み合わせて構築される別の形態も、本開示の範囲に含まれる。
【０１０２】
なお、本実施の形態では、第一機器１１１及び第二機器１１２は、それぞれタブレット端末及びスマートフォンの例を示したが、第一機器１１１及び第二機器１１２は、例えば、時計型のウエアラブル端末であってもよい。また、本実施の形態では、第一センサ１０１及び第二センサ１０２は、心拍センサの例を示したが、脈拍センサであってもよい。脈拍センサは、例えば、時計型のウエアラブル端末と一体型であってもよい。また、時計型のウエアラブル端末は、ディスプレイ及びスピーカーなどの提示部、タッチパネル及びマイクなどの入力部、及び、カメラを備えていてもよい。
【０１０３】
これにより、対象者及び非対象者は、日常生活を送りながら、簡便に、かつ、快適に行動誘引を実行することができる。
【０１０４】
また、本実施の形態では、行動を誘引される対象者及び行動を誘引させる非対象者はそれぞれ一人である例を示したが、それぞれ複数であってもよい。この場合、複数の第一センサ及び第二センサ、複数の第一機器及び第二機器の情報を一括して管理できる端末、例えば、コンピュータを用いて管理してもよい。
【０１０５】
これにより、保育園、及び、老人ホームなどの施設においても、非対象者（ここでは、職員）のストレスを低減することができ、より適切に対象者を行動達成に導くことができる。
【符号の説明】
【０１０６】
１０  取得部
２０  評価部
３０  決定部
４０  制御部
５０  通信部
１００  行動誘引装置
１０１  第一センサ
１０２  第二センサ
１１１  第一機器（タブレット端末）
１１２  第二機器（スマートフォン）
２００  行動誘引システム
【図１】
2019225248.tif 000003
【図２】
2019225248.tif 000004
【図３】
2019225248.tif 000005
【図４】
2019225248.tif 000006
【図５】
2019225248.tif 000007
【国際調査報告】
2019225248.tif 000008
2019225248.tif 000009
2019225248.tif 000010
2019225248.tif 000011